(57)【特許請求の範囲】
【請求項１】
容器（１）に詰められた流体製品を取り出すための装置であって、
前記装置は、製品が供給されるための容器（１）と固く接続された主要部と、前記主要部の上のノズル（３）とを有する、詰められた製品の抽出部材（２）を備え、
前記ノズルは、製品を取り出すあるいは取り込むために、それぞれ下降あるいは上昇する軸方向の行程にそった可逆的な運動に適しており、
前記装置は、容器（１）に固く接続され、かつ、前記抽出部材（２）の主要部を固く固定する円環（６）を備えており、前記円環は前記ノズル（３）の両側に配置された２つの上アーム（７）を有し、前記ノズル（３）は、２つの外側のピン（９）を備えており、前記上アームの各々は、内側のピン（１０）を有し、前記内側のピン（１０）は、外側のピン（９）とでハウジングを形成するように、外側のピン（９）から軸方向に離れた位置に配置され、
前記装置は、製品を取り出すための開口部（１４）を有する支持部材を備え、前記上アーム（７）は、移動時、前記ノズルと取り出し口（１４）とが結合するように、前記支持部材の中に取り付けられており、
前記装置は、前記抽出部材（２）を作動させるための押しボタン（１７）を備えており、前記押しボタン（１７）は、前記支持部材（１３）に対して半径方向に移動可能に取り付けられ、前記押しボタンは、前記ピン（９，１０）の間に形成されたハウジングにそれぞれ配置される２つのつまみ（２０）を有し、前記つまみの各々は、内側のピン（１０）を支持する上部支持面（２０ａ）と、外側のピン（９）を支持する下部支持面（２０ｂ）とを有しており、前記上部支持面（２０ａ）と前記下部支持面（２０ｂ）とは、押しボタン（１７）が押し込まれることにより、ピン（９）とピン（１０）とが離れ、それにより、ノズル（３）が係合し、容器（１）が持ち上がることで、抽出部材（２）が作動するように、半径方向に分岐していることを特徴とする装置。
【請求項２】
前記内側のピン（１０）は、前記上アーム（７）の上端近傍に形成されており、前記上アームの各々は、移動時に、前記外側のピン（９）を案内する軸方向の溝（１２）を有することを特徴とする請求項１に記載の装置。
【請求項３】
前記上アーム（７）は、前記上アームを離れた位置あるいは前記ノズル（３）を囲む位置に配置することができるように、ヒンジ（８）によって前記円環（６）の管状部（６ａ）と接続されていることを特徴とする請求項１あるいは２に記載の装置。
【請求項４】
前記円環（６）は、取り付けられる基底部を有した前記容器（１）の上部にそって形成されていることを特徴とする請求項１から３のいずれか１項に記載の装置。
【請求項５】
前記容器（１）は、前記円環（６）と、あるいは、前記抽出部材（２）と接続された貯蔵部（１ａ）を有することを特徴とする請求項１から３のいずれか１項に記載の装置。
【請求項６】
前記ノズル（３）は、その上に取り付けられる先端部（１１）を備えており、前記先端部（１１）に前記外側のピン（９）が形成されていることを特徴とする請求項１から５のいずれか１項に記載の装置。
【請求項７】
前記支持部材（１３）は、取り出し口（１４）が頂点にある内側の導管（３３）を有し、前記ノズル（３）は、前記導管の中で密着してスライド可能に取り付けられた上方シャフト（３４）を備え、前記上方シャフトにより、前記導管内に、ノズル（３）の取り込みあるいは取り出し行程につれて体積が、増加あるいは減少する、抽出された製品のための緩衝室（３５）が定められることを特徴とする請求項１から６のいずれか１項に記載の装置。
【請求項８】
前記緩衝室（３５）は、前記抽出部材（２）によって抽出された製品量の３０％から１００％の間で変化する容積を有することを特徴とする請求項７に記載の装置。
【請求項９】
前記支持部材（１３）に取り付けられ、前記容器（１）を囲むためのケース（２８）を備えることを特徴とする請求項１から８のいずれか１項に記載の装置。
【請求項１０】
前記装置は、製品を付ける手段（３１，４９）を有し、前記手段が前記取り出し口（１４）の上に取り付けられていることを特徴とする請求項１から９のいずれか１項に記載の装置。
【請求項１１】
前記上アーム（７）のそれぞれの上端は、移動時に前記支持部材（１３）のＵボルト（１６）の中へ案内される外側の縁（１５）を有していることを特徴とする請求項１から１０のいずれか１項に記載の装置。
【請求項１２】
前記つまみ（２０）は、上面と下面とを有し、前記上面と下面とは、それぞれ、外側の端部（２２）に前面が縁どられ、前記上部支持面（２０ａ）および前記下部支持面（２０ｂ）に後面が縁どられた、外側の凹部（２１）を有し、前記ピン（９，１０）は、それぞれ、前記押しボタン（１７）の待機位置を明確にするために、凹部（２１）の中に配置され、前記ピンと端部（２２）とが、押しボタンの引き戻しを防ぐために相互作用していることを特徴とする請求項１から１１のいずれか１項に記載の装置。
【請求項１３】
前記つまみ（２０）のそれぞれは、中央の溝（２３）を有し、前記中央の溝（２３）には、前記押しボタン（１７）の移動を案内するため、前記支持部材（１３）の中に形成された半径方向のスライド（２４）が配置されていることを特徴とする請求項１から１２のいずれか１項に記載の装置。
【請求項１４】
前記支持部材（１３）は、前記押しボタン（１７）の移動終点を規定するための接合部（２６）を少なくとも１カ所以上有していることを特徴とする請求項１から１３のいずれか１項に記載の装置。
【請求項１５】
前記支持部材（１３）は、前記押しボタン（１７）の反対側に形成された壁（２５）を有し、前記壁は、向き合うように配置された前記ノズル（３）の後部の形状を補助する形状を有していることを特徴とする請求項１から１４のいずれか１項に記載の装置。
【請求項１６】
前記支持部材（１３）は、支持部材中に固定された挿入物（４０）を有し、前記挿入物は、前記取り出し口（１４）有することを特徴とする請求項１から１５のいずれか１項に記載の装置。
【発明の詳細な説明】
【発明の詳細な説明】
【０００１】
本発明は、容器に詰められた流体製品の取り出し装置に関する。
【０００２】
具体的な用途としては、流体製品は、例えば化粧品や薬剤治療に用いられるゲル状やクリーム状の物である。より具体的には、本発明は、リップグロスや唇保護製品の利用に適している。
【０００３】
容器の中に詰められた製品を抽出する部材で構成された取り出し装置（システム）は既に知られており、例えば、製品を供給するために前記容器と固く接続された主要部と、前記主要部の上方に設けられたノズルとを備えたポンプから成る。より具体的には、抽出部材は、製品を取り出しあるいは取り込むために、それぞれ、ノズルが下降あるいは上昇する軸方向の行程に沿ったノズルの可逆運動により作動されるのに適している。
【０００４】
従来、ノズルの運動は、ノズルの上端に取り付けられた押しボタンによって作動し、前記押しボタンは、前記ノズルと上部支持領域とに接続された取り出し口を備えている。
【０００５】
韓国公開特許第２０１０／００１０６５７号公報には、ポンプのノズルに関する、側面に設けられた押しボタンについて開示されており、前記押しボタンが前記ノズルに形成された２つのリブ（ribs）と相互作用するため、前記押しボタンの半径方向の動きが、取り出し行程にそった前記ノズルの係合を引き起こしている。
【０００６】
しかしながら、前記形態は、十分であるとは言えず、特に、ポンプの作動には、押しボタンの過度の行程や押込力が必要となる。さらに、前記装置は、側方の作動を可能にするために特別なポンプを使用している。
【０００７】
本発明の目的は、運動や作動力が減じられた押しボタンによって、抽出部材が側面で作動する取り出し装置の提案により、先行技術を向上させることであって、前記装置は、標準的な抽出部材、すなわち、軸方向の作動における使用に適した型を用いてもよい。
【０００８】
上記目的のために、本発明は、容器に詰められた流体製品の取り出し装置に関するものであって、前記装置は、製品を供給するために容器と固く接続された主要部と、前記主要部の上のノズルとを有する、詰められた製品の抽出部材を備え、前記ノズルは、製品を取り出しあるいは取り込むために、それぞれ、下降あるいは上昇する軸方向の行程に沿った可逆的な運動に適しており、
前記装置は、容器と固く接続され、かつ、前記抽出部材の主要部が固定された円環を備えており、前記円環は、前記ノズルの両側に配置された２つの上アームを有し、前記ノズルは、２つの外側のピンを備えており、前記上アームの各々は、内側のピンを有し、前記内側のピンは、外側のピンとでハウジングを形成するように、外側のピンから軸方向に離れた位置に配置され、
前記装置は、製品を取り出すための開口部を有した支持部材を備え、前記上アームは、移動時、前記ノズルと取り出し口とが結合するように、前記支持部材の中に取り付けられており、
前記装置は、前記抽出部材を作動させるための押しボタンを備えており、前記押しボタンは、前記支持部材に対して半径方向に移動可能に取り付けられ、前記押しボタンは、ピン同士の間に形成されたハウジングにそれぞれ配置された2つのつまみを有し、前記つまみの各々は、内側のピンを支持する上部支持面と、外側のピンを支持する下部支持面とを有しており、前記支持面は、前記押しボタンが押し込まれることにより、ピンとピンとが離れ、それにより、ノズルが係合し、容器が持ち上がることで、抽出部が作動するように、半径方向に分岐している。
【０００９】
本発明のさらなる目的と長所とは、添付した図を参照して、以下の記述により明らかになる。
【００１０】
−図１は、本発明の第１の実施形態に係る取り出し装置の分解透視図であり、図１ａ、図１ｂ及び図１ｃはそれぞれ、図１に示した押しボタン、支持部材及び円環の拡大図であり、
−図２は、図１に係る取り出し装置の縦断面図であり、それぞれ、押しボタンが待機状態（図２ａ）及び押し込まれた（かみ合った）状態（図２ｂ）であり、
−図３は、図１に係る取り出し装置のケースのない場合を示す部分透視図であり、それぞれ、押しボタンが待機状態（図３ａ）押し込まれた状態（図３ｂ）であり、
−図４は、図３の縦断面図であり、
−図５は、図１に係る取り出し装置の横断面図であり、それぞれ押しボタンが待機状態（図５ａ）及び、押し込まれた状態（図５ｂ）であり、
−図６は、図１に係る取り出し装置の組み立て工程の図解であり、
−図７は、図１に係る取り出し装置の製品封入工程と最終組み立て工程の図解であり、
−図８は、本発明の第２の実施形態に係る取り出し装置の分解透視図であり、図８ａ、図８ｂ、図８ｃ、及び図８ｄはそれぞれ、図８における、支持部材の組み立て部品、押しボタン、円環及び先端部の拡大図であり、
−図９は、図８に係る取り出し装置の、押しボタンが待機位置である場合を示しており、それぞれ、横断面図（図９ａ）、支持部材が無い場合の部分透視図（図９ｂ）、及び縦断面図（図９ｃ、図９ｄ）であり、
−図１０は、図８に係る取り出し装置の、押しボタンが押し込まれた位置である場合を示しており、それぞれ、横断面図（図１０ａ）、支持部材が無い場合の部分透視図（図１０ｂ）、及び、縦断面図（図１０ｃ、図１０ｄ）である。
【００１１】
図を参照して、容器１に詰められた流体製品を取り出す装置を述べる。前記製品は、例えば、化粧品や、薬剤治療に用いられるゲル状かクリーム状のものであればよい。
【００１２】
装置は、製品を供給するために容器１と固く接続された主要部と、前記主要部の上のノズル３とを有している、詰められた製品を抽出するための抽出部材２を含んでいる。本実施形態で示すように、抽出部材は、ポンプ２であるが、本発明は本実施形態のみに限定されるようなものではない。前記ポンプは、製品が供給されている間、空気を返さないものであればよく、例えば、容器１の中でスクレーパー(scraper)ピストンがスライドすることで動作するようなものが挙げられる。
【００１３】
製品の抽出を可能とするために、ノズル３は、製品を取り出しあるいは取り込むために
それぞれ、下降あるいは上昇する軸方向の行程に沿って、可逆動作するのに適したものである。特に、ノズル３は、弁を介して容器１と接続された計量室を形成するために、ポンプ２の主要部に配置された管を含んでいてもよく、前記ノズルを取り込み行程から復帰させるためのバネ４を含んでいてもよい。
【００１４】
断面図が描かれた図４に示されるように、ポンプ２は、仏国特許発明第２９０８８４３号明細書に記載されたような型、すなわち、ノズル３内に配置された針状弁５を含み、取り出しあるいは取り込み行程中に、前記ノズルと計量室との接続を針状弁５が開状態あるいは閉状態にするような型である。本発明は、特に、製品を取り出すのに圧力抽出が必要である方法といったような、特別な構造のポンプ２に限定されるようなものではない。
【００１５】
本装置は、容器１と固く接続され、かつ、中にポンプ２の主要部を固く保管する円環６を有している。この目的のために、円環６は、その中でポンプ２の主要部が密着している管状部６ａを有している。
【００１６】
図１に示した実施形態では、容器１は、円環６の下部と接続された貯蔵部１ａを有している。前記円環は、ポンプ２と前記貯蔵部の内部とを接続するために、貯蔵部１ａの上部開口部がその上に密着される、下部支持面６ｂを有している。ほかの実施形態としては、図示していないが、円環６は、容器に製品を詰めた後に容器を密封するための基底部を有している、容器１の上部の一部分として形成されていてもよい。
【００１７】
円環６は、ノズル３の両側に配置された２つの上アーム７を有している。図１では、上アーム７は、ヒンジ８によって、管状部６ａの上端にそって接続されることで、管状部６ａと一体となっている。本実施形態は、上アーム７を、ポンプ２が管状部６ａの中に固定できるような離れた位置（図１ｃ）と、ノズル３を取り囲むような位置とに配置することができる。
【００１８】
ノズル３は、２つの外側のピン９を有し、アーム７は、それぞれ、外側のピン９から軸方向に上方に離れた位置に配置され、外側のピン９とでハウジングを形成する、内側のピン１０を備えている。実施形態に示されるように、ノズル３は、外側のピン９がその上に形成された、取り付けられる先端部１１を備えている。特に、先端部１１は、ノズル３にはめ込むための穴を有しており、ピン９は、前記穴の周囲にまさに広がりながら、半径方向に伸びている。他の実施形態としては、図示はしていないが、ピン９がノズル３の上に直接形成されていてもよい。
【００１９】
さらに言えば、内側のピン１０は、アーム７の上端近傍に形成されていると同時に、半径方向に伸びており、前記アームはそれぞれ、移動時に外側のピン９が案内されるような軸方向の溝１２を有している。
【００２０】
装置は、製品を取り出すための開口部１４を有した支持部材１３を含んでおり、アーム７は移動時に、ノズル３と取り出し口１４とが接続することで、前記支持部材中に取り付けられる。第１の実施形態では、上アーム７の上端は、それぞれ、ピン１０の反対側に形成された、外側の縁１５を有しており、前記縁は、移動時、支持部材１３のＵボルト１６に案内される。特に、外側の縁１５は、円環６とともに支持部材１３に対してスライド移動することにより、Ｕボルト１６の中に配置するのに適した傾斜端と、その後の引っ込み動作に備えた水平な底部とを有している。
【００２１】
本装置は、支持部材１３に対して半径方向に移動可能に取り付けられる、抽出部２を作動させるための押しボタン１７を含んでいる。この目的のために、支持部材１３は、押しボタン１７がはめ込まれる開口部１９を備えた前面壁１８を有し、Ｕボルト１６は前記壁の両側にそれぞれ形成されている（図１）。
【００２２】
押しボタン１７は、ピン９とピン１０との間に形成されたハウジングに配置される２つのつまみ２０を有しており、前記つまみは、上アーム７と先端部１１との間にそれぞれ配置されるように、開口部１９の中で半径方向に伸びており、前記つまみは、ノズル３を取り囲んでいる。つまみ２０はそれぞれ、内側のピン１０を受ける上部支持面２０ａと外側のピン９を支持する下部支持面２０ｂとを有しており、前記支持面は、押しボタン１７を押し込むことによりがピン９とピン１０との分離を引き起こすように、半径方向に分岐している。
【００２３】
このように、抽出部２は容器１の上昇にともなうノズル３の結合かみ合い（combining engagement)によって作動し、押しボタン１７の移動時の運動や、作動力を低減することを可能にしている。さらに、押しボタン１７を放した後は、ノズル３が取り込み行程にそって戻り、それ自体が、押しボタン１７を戻し、容器１を待機位置へと戻す。実施例によれば、行程が３．５ｍｍ未満で、１回に約１２０μｌ取り出すためには、支持面２０ａ及び２０ｂの勾配が３５°である必要がある。
【００２４】
本実施形態で示したように、つまみ２０は上面と下面とを有しており、それぞれの前記面は、外側の端部２２によって前面を縁取られ、支持面２０ａおよび２０ｂによって後面を縁取られている凹部２１を有している。この方法により、押しボタン１７の待機位置は、おおよそピンの大きさと等しい凹部２１の中にそれぞれ配置されたピン９、ピン１０によって定められる。
【００２５】
外側の端部２２は、ピン９とピン１０とで形成されたハウジングの中につまみ２０を配置するのに適した傾斜端を有している。特に、この配置のために、ピン９、ピン１０は外側の端部２２にもたれることによって分離され、例えば、予備注入動作に使用されるような、ポンプ２の動作を引き起こす。
【００２６】
さらに、ピン９、１０は押しボタン１７の引き戻しを防ぐために、外側の端部２２と相互作用する。この目的のために、外側の端部２２は、ピン９、１０が凹部２１の中に配置された後にピン９、１０が引き戻されることを防止するように、直立した後面を有している。
【００２７】
移動時に押しボタン１７を案内するために、それぞれのつまみ２０は中央の溝２３を有しており、その中に、支持部材１３に形成された半径方向のスライド２４を配置する。さらに、本実施例は、押しボタン１７が移動している間、支持面２０ａ、２０ｂとピン９．１０との力の伝達を確実にするのに適している。
【００２８】
図５に示されるように、支持部材１３は押しボタン１７の反対側に形成された壁２５を有し、前記壁は、当該壁と面するように配置されたノズル３の形状を補助する形状を有している。この方法により、動作時、壁２５は、前記ノズルを支持することで、ノズル３の取り付け不良を防ぐのに適している。
【００２９】
さらに、支持部材１３は、押しボタン１７の移動終点を規定する接合部２６を、少なくとも１つ有しており、この接合部２６は、特に、取り出し量を決定するために容易に配置するのに適している。特に、壁２５は、２つの半径方向の外縁２７に縁どられており、つまみ２０は当該外縁２７上をそれぞれ滑る。前記外縁は、接合部２６として働く基底部を有している。
【００３０】
第１の実施形態に関して、本装置は、特に壁１８及びＵボルト１６の周りにおいて、容器１を取り囲むために、支持部材１３と接合されたケース２８を含んでおり、前記ケースは、支持部材１３の開口部１９と向かい合うように設けられた側面開口部２９を有しており、それを通して、押しボタン１７が動きやすいようになっている。特に、ケース２８は装置のデザインを向上させるために配置され、容器１を完全に隠すために、前記ケースの下に、内蓋３０が設けられていてもよい。さらに、押しボタン１７は、開口部２９の端を隠すための装飾用のカバーに包まれていてもよい。
【００３１】
本装置は、製品を付ける（塗布する）ための手段を含んでいてもよく、前記手段は、取り出し口１４に取り付けられる。第１の実施形態では、前記手段は、取り出された製品を加圧下から解放するのに適した上部溝穴３２を有した可変スリーブ３１によって形成されている。
【００３２】
本実施例は特に、リップグロスや唇保護製品に利用するのに適している。都合の良いことに、少なくともスリーブ３１の溝穴３２に、例えばAlphasanやBactiglasのような銀を主成分とした、上記溝穴に押しつけられた製品膜を通しての微生物の侵入を防止するような、抗菌製品が詰められていてもよい。あるいは、製品を塗布するためのブラシやさらなる手段が備えられていてもよい。
【００３３】
支持部材１３は、押しボタン１７に関して、前記の製品を付ける（塗布する）手段の回転位置を指示する手段を含んでいてもよい。第１の実施形態では、可変スリーブ３１は、取り出し口１４の周りに、ケース２８の内側支持面２８ａに支えられた、下方環部３１ａを有しており、上部溝穴３２は前記ケースから飛び出している。下方環部３１ａは、軸方向の２つの溝穴３１ｂを有しており、その中で支持部材１３の凸部１３ａかみ合うことにより、前記の製品を付ける（塗布する）手段の回転位置を指示することができる。
【００３４】
都合の良いことに、支持部材１３は、取り出し口１４が頂点にある、内側の導管３３を有しており、ノズル３は、前記導管に密着して滑るようにはめ込まれた上方シャフト３４を有している。特に、先端部１１は、その中でノズル３の接続によってシャフト３４が形成される上方部を含んでいる。
【００３５】
本実施例は、導管３３において、ノズル３の、取り出しあるいは取り込み行程中における、抽出された製品の量の増加あるいは減少に対応するための、緩衝室３５を定義づける（defining）のに適している。特に、緩衝室３５は、シャフト３４がスライド可能にはめ込まれた円筒形の下部と、取り出し口１４にむかって集まる、円錐形の上部とを含んでいる。緩衝室３５は、ポンプ２によって１回で抽出される製品の量の３０％から１００％の容積の幅を有していてもよい。
【００３６】
この方法により、取り出し中の動作と製品の使用とを少なくとも一部分離することが可能となる。さらに、押しボタン１７を押すことで、抽出量の少なくとも一部で緩衝室３５を満たし、前記押しボタンを離した後は、前記緩衝室中の体積を減らすことで、溝穴３２を通して取り出される。
【００３７】
図６を参照して、取り出し装置における、個々の組み立て工程を以下に述べる。アーム７が離れた位置に配置され（図６．１）、ポンプ２を円環６の中に固定する（図６．２）。先端部１１がノズル３の上に取り付けられ（図６．３）、上アーム７がノズル３を取り囲むように、引き戻されるとともに（図６．４）、外側のピン９が溝１２の中に配置される（図６．５）。
【００３８】
その後、Ｕボルト１６の中に外側の縁１５が配置することで、支持部材１３がアーム７の周りに配置され（図６．６）、スリーブ３１が前記支持部材の上にはめ込まれる（図６．７）。ケース２８が支持部材１３と容器１とに取り付けられ（図６．８）、その後、ピン９、１０の間に形成されたハウジングの中につまみ２０をはめこむように、開口部１９，２９に押しボタン１７をはめ込む（図６．９）。蓋３６は、２つの応用例の間のスリーブ３１を保護するために、支持部材１３の周りに取り付けられる。
【００３９】
このような工程を経て、本取り出し装置は出荷状態となる。図７は取り出し装置の、製品を詰める工程と最後の組み立てとを説明している。
【００４０】
図７．１及び７．２は、チューブ３７によって貯蔵部１ａに製品が詰められる様子を示しており、前記貯蔵部は、次に、出荷状態の装置の円環６の下部と結合される（図７．３及び７．４）。ケース２８の蓋３０は、その後、取り出し装置を完成させるために、取り付けられる（図７．５及び７．６）。
【００４１】
図８から１０を参照して、第２の実施形態を以下に説明する。支持部材１３が前記支持部材中に固定された挿入物４０を有しており、前記挿入物は、取り出し口１４が頂点にある、内側の導管３３を有している。第１の実施形態では、先端部１１の上方シャフト３４は、緩衝室３５を定めるために、導管３３に密着してスライド可能となるよう取り付けられている。
【００４２】
本取り出し装置は、抽出部２の主要部と接続された貯蔵部１ａを含んでおり、この組立をより強固にするための連結部４１が備えられている。さらに、ケース２８は支持部材１３と固定される。支持部材１３は、ケース２８を固定する目的のために、下部支持面１３ｂを有している。
【００４３】
挿入物４０は、頂点が取り出し口１４である円錐４３が上に伸びている、上プレート４２を有し、前記プレートは、円錐４３のそれぞれの側面に１組ずつ配置された４つの切り込み４４を有し、前記切り込みは、支持部材１３の内部に形成された軸方向の溝４５と、それぞれかみ合っている。
【００４４】
溝４５は、プレート４２が支持部材１３に固定されるまで支持部材１３の内部をスライドさせることにより、特にロックすることにより、前記支持部材の中に挿入物４０をまっすぐに取り付けるのに適している。さらに、挿入物４０は、切れ込み４４のそれぞれの組の間に形成された、Ｕ字型架橋４６を有している。Ｕ字型架橋４６は、支持部材１３中での挿入物４０のすべり誘導を向上させるため、特に、前記挿入物の固定前の回転を制限するためのものである。
【００４５】
挿入物４０はまた、Ｕ字型架橋４６の下にそれぞれ形成された、２つの軸方向の穴４７を有しており、装置の動作時、内側のピン１０はそれぞれ、移動時に、穴４７へと案内される。特に、アーム７は、管状部６ａの上端と固く接続されており、管状部６ａと一体となっている。さらに、アーム７は、移動時、支持部材１３中の２つの溝４５間に案内される。
【００４６】
穴４７の下端の両側の縁にはピン４８が備え付けられている。特に、穴４７の２つのピン４８は、押しボタン１７を中央の溝２３を介して案内するときの半径方向のスライド２４として働く。
【００４７】
第２の実施形態において、製品を取り付ける手段（application means）は、中に導管５０が形成された部品４９を含んでおり、基部５１から側方塗布面５２の上に広がった先端に向けて伸びている。基部５１は、導管５０の中に取り出し口１４が配置される。図８から１０では、結合手段は、支持部材１３の中に形成された凹部５４へ差し込むことで組み付けるための２つのブロック５３を備えている。
【図面の簡単な説明】
【００４８】
【図１】本発明の第１の実施形態に係る取り出し装置の分解透視図である。
【図１ａ】図１に示した押しボタンの拡大図である。
【図１ｂ】図１に示した支持部材の拡大図である。
【図１ｃ】図１に示した円環の拡大図である。
【図２ａ】押しボタンが待機状態であるときの、図１に係る取り出し装置の縦断面図である。
【図２ｂ】押しボタンが押し込み状態であるときの、図１に係る取り出し装置の縦断面図である。
【図３ａ】押しボタンが待機状態であるときの、ケースがない場合における図１に係る取り出し装置の部分透視図である。
【図３ｂ】押しボタンが押し込み状態であるときの、ケースがない場合における図１に係る取り出し装置の部分透視図である。
【図４ａ】図３ａの縦断面図である。
【図４ｂ】図３ｂの縦断面図である。
【図５ａ】押しボタンが待機状態であるときの、図１に係る取り出し装置の横断面図である。
【図５ｂ】押しボタンが押し込み状態であるときの、図１に係る取り出し装置の横断面図である。
【図６】図１に係る取り出し装置の組み立て工程の図解である。
【図７】図１に係る取り出し装置の製品封入工程と最終組み立て工程の図解である。
【図８】本発明の第２の実施形態に係る取り出し装置の分解透視図である。
【図８ａ】図８における支持部材組み立て工程の拡大図である。
【図８ｂ】図８における押しボタンの拡大図である。
【図８ｃ】図８における円環の拡大図である。
【図８ｄ】図８における先端部の拡大図である。
【図９ａ】押しボタンが待機状態であるときの、図８に係る取り出し装置の横断面図である。
【図９ｂ】押しボタンが待機状態であるときの、図８に係る取り出し装置の支持部材が無い場合における、部分透視図である。
【図９ｃ】押しボタンが待機状態であるときの、図８に係る取り出し装置の縦断面図である。
【図９ｄ】押しボタンが待機状態であるときの、図８に係る取り出し装置の縦断面図である。
【図１０ａ】押しボタンが押し込み状態であるときの、図８に係る取り出し装置の横断面図である。
【図１０ｂ】押しボタンが押し込み状態であるときの、図８に係る取り出し装置の支持部材が無い場合における、部分透視図である。
【図１０ｃ】押しボタンが押し込み状態であるときの、図８に係る取り出し装置の縦断面図である。
【図１０ｄ】押しボタンが押し込み状態であるときの、図８に係る取り出し装置の縦断面図である。
【図１】
0006013477.tif 000002
【図１ａ】
0006013477.tif 000003
【図１ｂ】
0006013477.tif 000004
【図１ｃ】
0006013477.tif 000005
【図２ａ】
0006013477.tif 000006
【図２ｂ】
0006013477.tif 000007
【図３ａ】
0006013477.tif 000008
【図３ｂ】
0006013477.tif 000009
【図４ａ】
0006013477.tif 000010
【図４ｂ】
0006013477.tif 000011
【図５ａ】
0006013477.tif 000012
【図５ｂ】
0006013477.tif 000013
【図６】
0006013477.tif 000014
【図７】
0006013477.tif 000015
【図８】
0006013477.tif 000016
【図８ａ】
0006013477.tif 000017
【図８ｂ】
0006013477.tif 000018
【図８ｃ】
0006013477.tif 000019
【図８ｄ】
0006013477.tif 000020
【図９ａ】
0006013477.tif 000021
【図９ｂ】
0006013477.tif 000022
【図９ｃ】
0006013477.tif 000023
【図９ｄ】
0006013477.tif 000024
【図１０ａ】
0006013477.tif 000025
【図１０ｂ】
0006013477.tif 000026
【図１０ｃ】
0006013477.tif 000027
【図１０ｄ】
0006013477.tif 000028